(57)【特許請求の範囲】
【請求項１】
測定ローラーと、該測定ローラーの中心にその突出先端部が連結され、前記測定ローラーと共働する測定ローラー用軸と、該測定ローラー用軸の内側端部が回転可能に取り付けられ、前記測定ローラー及び測定ローラー用軸を介して長尺状の被測定物の長さを測定し、かつこの長さを表示できる表示部を有するメジャーボックス本体と、該メジャーボックス本体に設けられた支持ローラー取付軸に支持ローラー基端部が上下方向に移動可能に取り付けられ、前記測定ローラーの外面に接触可能な支持ローラーと、該支持ローラーを前記測定ローラーの外面に圧接するように付勢し、前記長尺状の被測定物を挟持する挟持手段と、押圧手段により測定ローラーに前記長尺状の被測定物が押し付けられた状態で固定可能なストッパーを備え、
前記ストッパーは、左右方向が長径となる楕円形の透孔を有し、前記支持ローラー取付軸に挿入されるストッパー板と、該ストッパー板の一端部に取り付けられ、下方へ押すことにより、ストップ状態を解除できる押圧具と、前記支持ローラー取付軸に遊挿状態で取り付けられ、上端部は前記ストッパー板に当接するとともにストッパー板を上方に付勢し、前記ストッパー板を常時支持ローラー基端部に斜めの状態で当接させるストッパー用スプリングとで構成されており、
前記測定ローラーと前記支持ローラーとの間に前記長尺状の被測定物を挟持した状態で、前記長尺状の被測定物を引っ張ることにより、前記測定ローラーの外面と前記長尺状の被測定物との摩擦抵抗により、前記測定ローラーが回転し、該回転量が前記表示部に前記長尺状の被測定物の長さとして表示されることを特徴とする長さ測定装置。
【請求項２】
前記メジャーボックス本体には片手で把持することができることを特徴とする請求項１記載の長さ測定装置。
【請求項３】
前記メジャーボックス本体の前記支持ローラーと測定ローラーの間の部位には、前記長尺状の被測定物が入り込むことができる間隙が形成されていることを特徴とする請求項１又は請求項２のいずれかに記載の長さ測定装置。
【請求項４】
測定ローラーと、該測定ローラーの中心にその突出先端部が連結され、前記測定ローラーと共働する測定ローラー用軸と、該測定ローラー用軸の内側端部が回転可能に取り付けられ、前記測定ローラー及び測定ローラー用軸を介して長尺状の被測定物の長さを測定し、かつこの長さを表示できる表示部を有するメジャーボックス本体と、該メジャーボックス本体と別体に設けられた平板状の支持部材と、前記メジャーボックス本体にヒンジを介して設けられた前記平板状の支持部材を着脱可能に取付けることができる取付具と、前記平板状の支持部材の外面に前記測定ローラーが圧接するように前記ヒンジに設けられた付勢具で付勢し、前記長尺状の被測定物を挟持する挟持手段とで構成され、
前記測定ローラーと前記支持部材との間に前記長尺状の被測定物を挟持した状態で、前記長尺状の被測定物を引っ張ることにより、前記測定ローラーの外面と前記長尺状の被測定物との摩擦抵抗により、前記測定ローラーが回転し、該回転量が前記表示部に前記長尺状の被測定物の長さとして表示されることを特徴とする長さ測定装置。
【発明の詳細な説明】
【技術分野】
【０００１】
本発明は布やシートのような材料の長さを測定する長さ測定装置に関する。
【背景技術】
【０００２】
従来、生地やシート等の薄い材料は、竹製のものさしを使用して必要な長さを測定し、切断等していた。
【０００３】
しかし、このような方法では、測定誤差が大きくなりある程度の精度が求められる場合には実用に耐えられる測定方法ではなかった。
また、メジャーとしては、特許文献１に示すように、被測定物の上面にメジャーの測定輪を接触し、該測定輪を回転させてその長さを測定するカード型メジャーが知られている。
【０００４】
しかし、このようなメジャーでは、被測定物を机等の支持体（支持ローラー）にしっかり固定しなければ被測定物が滑ってしまい、精度の高い測定ができるものではないという欠点があった。
【先行技術文献】
【特許文献】
【０００５】
【特許文献１】実開平５−８１６０３号公報
【発明の概要】
【発明が解決しようとする課題】
【０００６】
本発明は以上のような従来の欠点に鑑み、シート状の長尺物の長さ寸法を高精度で測定することができる長さ測定装置を提供することを目的としている。
【課題を解決するための手段】
【０００７】
上記目的を達成するために、本発明の長さ測定装置は、測定ローラーと、該測定ローラーの中心にその突出先端部が連結され、前記測定ローラーと共働する測定ローラー用軸と、該測定ローラー用軸の内側端部が回転可能に取り付けられ、前記測定ローラー及び測定ローラー用軸を介して長尺状の被測定物の長さを測定し、かつこの長さを表示できる表示部を有するメジャーボックス本体と、該メジャーボックス本体に設けられた支持ローラー取付軸に支持ローラー基端部が上下方向に移動可能に取り付けられ、前記測定ローラーの外面に接触可能な支持ローラーと、該支持ローラーを前記測定ローラーの外面に圧接するように付勢し、前記長尺状の被測定物を挟持する挟持手段と、押圧手段により測定ローラーに前記長尺状の被測定物が押し付けられた状態で固定可能なストッパーを備え、
前記ストッパーは、左右方向が長径となる楕円形の透孔を有し、前記支持ローラー取付軸に挿入されるストッパー板と、該ストッパー板の一端部に取り付けられ、下方へ押すことにより、ストップ状態を解除できる押圧具と、前記支持ローラー取付軸に遊挿状態で取り付けられ、上端部は前記ストッパー板に当接するとともにストッパー板を上方に付勢し、前記ストッパー板を常時支持ローラー基端部に斜めの状態で当接させるストッパー用スプリングとで構成されており、
前記測定ローラーと前記支持ローラーとの間に前記長尺状の被測定物を挟持した状態で、前記長尺状の被測定物を引っ張ることにより、前記測定ローラーの外面と前記長尺状の被測定物との摩擦抵抗により、前記測定ローラーが回転し、該回転量が前記表示部に前記長尺状の被測定物の長さとして表示されることを特徴とする。
【発明の効果】
【０００８】
以上の説明から明らかなように、本発明にあっては次に列挙する効果が得られる。
（１）請求項１に記載の発明では、前記測定ローラーと支持ローラーとの間に長尺状の被測定物を挟持した状態で、前記長尺状の被測定物を引っ張ることにより、前記測定ローラーの外周面と前記長尺状の被測定物との摩擦抵抗により、測定ローラーが回転し、該回転量は前記表示部に長さとしてあらわれるので、精度よく被測定物の長さを測定することができる。
（２）ストッパーによって支持ローラーの上下移動を固定できるので、支持ローラーに上下方向の力がかかっても、挟持力が弱まることなく被測定物を挟持することができる。
したがって、よりよい精度で被測定物の長さを測定することができる。
（３）請求項２に記載の発明も前記（１）〜（２）と同様な効果が得られると共に、片手でメジャーボックス本体を把持できるので、片手で本願発明の長さ測定装置を持ち、もう一方の手で被測定物引っ張り、被測定物の長さを測定することができる。
（４）請求項３に記載の発明も前記（１）〜（３）と同様な効果が得られると共に、測定中に被測定物が測定ローラーと支持体（支持ローラー）の間から脱落してしまうことを防止できる。
（５）請求項４に記載の発明も前記（１）と同様な効果が得られると共に、別体の支持部材を取付けることで使用できるので、様々な支持部材にメジャーボックスを取り付けて被測定物の長さを測定することができる。
【図面の簡単な説明】
【０００９】
図１乃至図７は本発明の第１実施形態を示す各説明図である。
図８乃至図１２は本発明の第２実施形態を示す各説明図である。
図１３乃至図１５は本発明の第３実施形態を示す各説明図である。
【図１】正面図。
【図２】平面図。
【図３】側面図
【図４】支持ローラーの説明図。
【図５】ストッパーの説明図
【図６】挟持手段の説明図。
【図７】測定状態の説明図。
【図８】正面図。
【図９】平面図。
【図１０】側面図
【図１１】支持部材に取り付けた状態の説明図。
【図１２】挟持手段の説明図。
【図１３】正面図。
【図１４】平面図。
【図１５】ブロック図。
【発明を実施するための形態】
【００１０】
以下、図面に示す本発明を実施するための形態により、本発明を詳細に説明する。なお、上下方向とは、正面視（図１）における上下方向であり、左右方向とは、正面視（図１）における左右方向である。
【００１１】
図１ないし図７に示す本発明を実施するための第１の形態において、１は生地やシート等の薄手で長さのある被測定物２の長さを測定する長さ測定装置である。
この長さ測定装置１は図１乃至図３に示すように、箱型のメジャーボックス本体３と、該メジャーボックス本体３に設けられた測定ローラー４と、該測定ローラー４が回転した距離を測定し、表示する表示部５と、前記測定ローラー４の下方に、上下方向にスライド移動可能に設けられた支持ローラー６と、該支持ローラー６を上方へ付勢し、長尺状の被測定物２を挟持する挟持手段７と、前記支持ローラー６の下方への移動を制限するストッパー８とで構成されている。なお、前記長尺状の被測定物２の厚さの上限は１０ｍｍ程度を想定している。
【００１２】
前記メジャーボックス本体３は、直方体状で片手で把持できる箱体で、図１における左側面側の側面部には測定ローラー用軸９が突出しており、該測定ローラー用軸９を介して測定ローラー４が設けられている。平面部には測定ローラー４で測定した被測定物２の長さをアナログで表示する表示部５が形成されており、この表示部５の表示をリセットするリセットボタン１０が設けられている。
【００１３】
前記支持ローラー６は、図４に示すように、支持ローラー用軸１４に回転可能に取り付けられている。この支持ローラー用軸１４は、前記メジャーボックス本体３の底面に設けられた箱状の支持ローラーケース１１の内部に固定された上下方向に設けられた支持ローラー取付軸１２に、上下方向に移動可能に挿入された正面視略コ字状の支持ローラー基端部１３の上端部に固定され水平方向（該測定ローラー４側の水平方向）に突出するように固定されている。
【００１４】
この支持ローラー６は、上端の位置に位置すると、前記測定ローラー４と接触するように構成されている。本実施の形態においては、測定ローラー４の方が支持ローラー６よりも大径で幅狭のローラーを用いているが、測定ローラー４や支持ローラー６の支持ローラー６の直径や幅は適宜変更可能であり、同一形状のローラーを用いてもよい。
【００１５】
また、本実施の形態においては箱状の支持ローラーケース１１の測定ローラー４側の側面は、該メジャーボックス本体３と略面一のとなるように固定されているが、前記測定ローラー４と支持ローラー６が接触する部位の箱状の支持ローラーケース１１の側面に間隙１６を設けている。このような間隙１６を形成することにより、被測定物２を内側（メジャーボックス本体３側）へ配置して測定することができ、測定中に被測定物２が測定ローラー４と支持ローラー６の間から脱落してしまうことを防止できる。
【００１６】
前記ストッパー８は、図５に示すように、前記支持ローラー基端部１３の間（コ字型の内側部分）に介装されており、左右方向が長径となる楕円形の透孔１７を有し、支持ローラー取付軸１２に挿入される前記ステンレス製のストッパー板１８と、該ストッパー板１８の一端部（支持ローラー６や測定ローラー４とは左右方向反対側の端部）に取り付けられた押圧具１９と、前記支持ローラー取付軸１２に遊挿状態で取り付けられ、上端部は前記ストッパー板１８に当接するとともにストッパー板１８を上方に付勢し、ストッパー板１８を常時支持ローラー基端部１３の上辺１３ａ（コ字型の上方の部材）に斜めの状態で当接させるストッパー用スプリング２０とで構成されている。なおストッパー用スプリング２０の下端部は前記支持ローラー基端部１３の下辺１３ｂ（コ字型の下方の部材）に支持されている。
【００１７】
前記ストッパー板１８は、支持ローラー取付軸１２と直行する状態ではスムーズに上下移動することができ、支持ローラー取付軸１２に対して斜めの状態になると前記楕円形の透孔１７が支持ローラー取付軸１２に噛んだ状態（ｊａｍｍｉｎｇ）となり、上下方向への動きが制限される。なお、ストッパー用スプリング２０は前述のようにストッパー板１８を上方に付勢し、常時前記支持ローラー基端部１３に当接させるものであるが、ストッパー板１８を支持ローラー取付軸１２に対して常時斜めの状態（常時ストップ状態）とするための機能も有している。
【００１８】
なお、本実施の形態においてはストッパー板１８の材質はステンレス（ＳＵＳ３０４）を用いているが、前述のような機能を果たすことができるものであれば、特に材質を問わない。
【００１９】
前記押圧具１９は、ストッパー板１８の一端部に取り付けられた軸状の部材であり、前記メジャーボックス本体３を貫通し、メジャーボックス本体３の上面から突出するように設けられている。この押圧具１９を下方へ押すことにより、常時斜めの状態となっているストッパー板１８の一端部を押して、ストッパー板１８を支持ローラー取付軸１２と直行する状態にさせ、ストップ状態を解除することができるものである。
【００２０】
前記挟持手段７は、図６に示すように、前記支持ローラー取付軸１２に遊挿状態で取り付けられるとともに、箱状の支持ローラーケース１１の内部底面に下端部が支持され、その上端部は、前記ストッパー板１８に当接するとともに支持ローラー基端部１３の下辺１３ｂを上方に付勢する挟持用スプリング２１により、前記支持ローラー６が前記測定ローラー４の外周面に圧接することにより構成している。
【００２１】
付言すると、支持ローラー基端部１３には支持ローラー用軸１４及び支持ローラー６が連設されているので、挟持用スプリング２１は支持ローラー６を常時上方へ付勢していることになり、この付勢力によって被測定物２を挟持状態とすることができるものである。
この長さ測定装置１を使用する場合には、まず押圧具１９を下方へ押すことにより、斜めの状態となっているストッパー板１８の一端部が押され、ストッパー板１８の楕円形の透孔１７と支持ローラー取付軸１２との噛み合い状態が解除され、ストッパー板１８がスライド可能な状態となる。このまま押圧具１９を押し続けることにより、ストッパー板１８及びストッパー板１８の下部に当接しているストッパー用スプリング２０さらなる荷重がかかる。ストッパー用スプリング２０は支持ローラー基端部１３の下辺１３ｂに支持されているため、この支持基端部１３にも押圧具１９に加えられた荷重がかかり、この荷重が支持基端部１３を支持している挟持用スプリング２１の付勢力に抗して支持ローラー６が下方へスライド移動する。なお、図示していないが、ストッパー板１８は楕円形の透孔１７と支持ローラー取付軸１２との噛み合い状態が解除された状態から、さらに押圧されても噛み合い解除状態を保持できる機構を有している。
【００２２】
支持ローラー６が下方へ移動したら、測定ローラー４と支持ローラー６の間に被測定物２を位置させた後、押圧具１９への荷重を解除すると、支持ローラー６は挟持用スプリング２１の付勢力によって上方へ付勢され、被測定物２は測定ローラー４と支持ローラー６に圧接状態で挟持される。
【００２３】
この時、前記ストッパー板１８の一端部には押圧具１９からの荷重がかかっていないためストッパー板１８が斜めの状態（楕円形の透孔１７と支持ローラー取付軸１２が噛み合っている状態）となっており、支持ローラー６自体に下方への荷重をかけても支持ローラー６が下方へスライド移動しないようになっている。
【００２４】
被測定物２が測定ローラー４と支持ローラー６に挟持された状態で被測定物２を引っ張ると、測定ローラー４は被測定物２との摩擦力により回転し、その回転した距離がメジャーボックス本体３の表示部５に表示される。
【００２５】
このように挟持手段７付勢力で被測定物２を挟持し、長尺の測定物を測定することにより、測定誤差を１％以下にすることができる。本願発明の長さ測定装置１を用いて所定長さの被測定物を測定した結果を以下に示す。
４０ｍの被測定物：誤差０．２２ｍ
１０ｍの被測定物：誤差０．０２ｍ
４９ｍの被測定物：誤差０．２６ｍ
５０ｍの被測定物（ガイド付）：誤差０．０１ｍ
なお、測定ローラー４に対して、被測定物２が真っ直ぐ供給されるようにガイドを設けることにより、長尺状の被測定物が左右にブレることを防止できるため、更にその測定精度を高くすることができる。
【００２６】
[発明を実施するための異なる形態]
次に、図８ないし図１５に示す本発明を実施するための異なる形態につき説明する。なお、これらの本発明を実施するための異なる形態の説明に当って、前記本発明を実施するための第１の形態と同一構成部分には同一符号を付して重複する説明を省略する。
図８ないし図１２に示す本発明を実施するための第２の形態において、前記本発明を実施するための第１の形態と主に異なる点は、メジャーボックス本体３Ａとは別体に設けられた机の天板等を支持部材１５とし、前記メジャーボックス３Ａには、前記机の天板等の板状の支持部材１５に着脱可能に取付けることができる取付具２２をヒンジ２３を介して備えるとともに、挟持手段７Ａとして該ヒンジ２３に測定ローラー４を支持部材１５の外面（上面）に圧接するように付勢する付勢具２４としてのスプリングが設けられている点で、このような長さ測定装置１Ａにしても前記本発明を実施するための第１の形態と同様の作用効果を得ることができる。
【００２７】
前記取付具２２は、図８等に示すように、メジャーボックス本体３Ａとヒンジ２３を介して取り付けられた略アングル状の取付金具２５と、該取付金具２５にボルト等で固定された略コ字状の押え金具２６と、該押え金具２６の底面に形成されたネジ孔に螺合するネジ２７が形成された軸２８と、該軸２８の上端部に設けられた押え片２９とでクランプのような構造を構成しており、板状の支持部材１５を前記取付具２３で挟み込むことにより、着脱自在に取付けることができる。
【００２８】
図１３ないし図１５に示す本発明を実施するための第３の形態において、前記本発明を実施するための第１の形態と主に異なる点は、測定ローラー４が回転した角度をカウントするカウント手段３０と、該カウント手段３０によりカウントされた角度（回転数及び回転角度等）を距離に換算する演算手段３１と該演算手段３１により算出された距離をデジタルの表示部５Ａにデジタル表示する点で、このような長さ測定装置１Ｂにしても前記本発明を実施するための第１の形態と同様の作用効果を得ることができる。
【００２９】
この表示部５Ａのデジタル表示をリセットする場合には、メジャーボックス本体３に設けられたリセットボタン１０を押すことにより、演算手段３１の演算結果をクリアすることができ、表示部５Ａのデジタル表示をリセットすることができる。
なお、本発明の実施の形態においては、ストッパーを用いるものについて説明したが、ストッパーを用いないものであってもよい。
【００３０】
また、ストッパー用スプリングや挟持用スプリングを、支持ローラー取付軸に設ける形態について説明したが、ストッパーや挟持手段が適切に機能すれば、必ずしも支持ローラー取付軸にこれらのスプリングを設けなくてもよい。
【産業上の利用可能性】
【００３１】
本発明は布やシート等の薄手で長尺の材料の長さを測定する産業で利用される。
【符号の説明】
【００３２】
１、１Ａ、１Ｂ：長さ測定装置、  ２：被測定物、
３、３Ａ：メジャーボックス本体、４：測定ローラー、
５、５Ａ：表示部、              ６、６Ａ：支持ローラー、
７：挟持手段、                  ８：ストッパー、
９：測定ローラー用軸、          １０：リセットボタン、
１１：支持ローラーケース、      １２：支持ローラー取付軸、
１３：支持基端部、              １４：支持ローラー用軸、
１５：支持部材、                １６：間隙、
１７：楕円形の透孔、            １８：ストッパー板、
１９：押圧具、                  ２０：ストッパー用スプリング、
２１：挟持用スプリング、        ２２：取付具、
２３：ヒンジ、                  ２４：付勢具、
２５：取付金具、                ２６：押え金具、
２７：ネジ、                    ２８：軸、
２９：押え片、                  ３０：カウント手段、
３１：演算手段。
【図１】
0006509705.tif 000002
【図２】
0006509705.tif 000003
【図３】
0006509705.tif 000004
【図４】
0006509705.tif 000005
【図５】
0006509705.tif 000006
【図６】
0006509705.tif 000007
【図７】
0006509705.tif 000008
【図８】
0006509705.tif 000009
【図９】
0006509705.tif 000010
【図１０】
0006509705.tif 000011
【図１１】
0006509705.tif 000012
【図１２】
0006509705.tif 000013
【図１３】
0006509705.tif 000014
【図１４】
0006509705.tif 000015
【図１５】
0006509705.tif 000016